(57)【要約】【課題】照明器具本体の正面方向と異なる方向を照射する照明器具を、小型化、軽量化、低コスト化する。【解決手段】発光ダイオード１１０を実装した実装基板１２０を、取付部材１３０に取り付ける。取付部材１３０は、照明器具本体１４０の取付面１４１に取り付け、実装基板１２０の正面方向を、照明器具本体１４０の正面方向と異なる方向に向ける。発光ダイオード１１０は実装基板１２０の正面方向を照射するので、照明器具本体１４０の正面方向と異なる方向を照射する。【選択図】図５
2007265646.tif 000002
【特許請求の範囲】
【請求項１】
発光ダイオードと、
上記発光ダイオードを実装した実装基板と、
照明器具本体と、
上記実装基板の正面方向を上記照明器具本体の正面方向と異なる方向に向けて、上記実装基板を上記照明器具本体に保持する取付部材と、
を有することを特徴とする照明器具。
【請求項２】
上記実装基板は、
上記発光ダイオードを、長手方向に複数実装し、
上記取付部材は、
上記実装基板を、並列に複数、上記照明器具本体に保持する
ことを特徴とする請求項１に記載の照明器具。
【請求項３】
上記取付部材は、複数の上記実装基板の正面方向を略同方向に向けて、上記実装基板を上記照明器具本体に保持する
ことを特徴とする請求項２に記載の照明器具。
【請求項４】
上記取付部材は、複数の上記実装基板のうち一部の実装基板の正面方向を略同方向に向けて、上記一部の実装基板を上記照明器具本体に保持し、複数の上記実装基板のうち他の実装基板の正面方向を、上記照明器具本体の正面方向に対して、上記一部の実装基板の正面方向と略左右対称となる方向に向けて、上記他の実装基板を上記照明器具本体に保持する
ことを特徴とする請求項２に記載の照明器具。
【請求項５】
上記取付部材は、
上記実装基板を取り付ける第一の平面部と、上記第一の平面部に対して角度を有し、上記照明器具本体に触れる第二の平面部とを有する
ことを特徴とする請求項１に記載の照明器具。
【請求項６】
上記取付部材は、
上記取付部材の一部を切り起して形成し、上記実装基板を取り付ける切り起こし部を有する
ことを特徴とする請求項１に記載の照明器具。
【請求項７】
上記取付部材は、
上記実装基板を上記照明器具本体に電気的に接続し、上記実装基板を支持するソケットを有する
ことを特徴とする請求項１に記載の照明器具。
【請求項８】
上記ソケットは、
上記照明器具本体の正面に略平行な直線を軸として回転できる
ことを特徴とする請求項７に記載の照明器具。
【請求項９】
上記発光ダイオードは、
上記実装基板の正面方向と略同方向を照射する
ことを特徴とする請求項１に記載の照明器具。
【発明の詳細な説明】
【技術分野】
【０００１】
この発明は、発光ダイオードを用いた照明器具に関する。
【背景技術】
【０００２】
発光ダイオードは、温度上昇により劣化する。発光ダイオードの配光曲線に強い指向性を持たせることにより、必要な方向だけを必要な照度で照射し、発光ダイオードの消費電力を抑えて、発光ダイオードの温度上昇を抑えることが行われる。
通常、発光ダイオードは、パッケージの正面方向を最大輝度で照射するよう構成されている。
例えば、特許文献１には、このような発光ダイオードが任意の方向を照射できるようにする構造が記載されている。
【特許文献１】特開２００５−１４９７９０号公報
【特許文献２】特表２００５−５１５５６６号公報
【発明の開示】
【発明が解決しようとする課題】
【０００３】
特許文献１に記載の技術では、構造が複雑になり、照明器具が大型化、高コスト化するという課題がある。
この発明は、例えば上記のような課題を解決するためになされたものであり、正面方向と異なる方向を照射する照明器具を、小型化、軽量化、低コスト化することを目的とする。
【課題を解決するための手段】
【０００４】
この発明にかかる照明器具は、
発光ダイオードと、
上記発光ダイオードを実装した実装基板と、
照明器具本体と、
上記実装基板の正面方向を上記照明器具本体の正面方向と異なる方向に向けて、上記実装基板を上記照明器具本体に保持する取付部材と、
を有することを特徴とする。
【発明の効果】
【０００５】
この発明にかかる照明器具によれば、実装基板の正面方向と、照明器具本体の正面方向とが異なる方向を向いているので、実装基板に実装した発光ダイオードが、照明器具本体の正面方向とは異なる方向を照射することができるという効果を奏する。
【発明を実施するための最良の形態】
【０００６】
実施の形態１．
実施の形態１を、図１〜図７を用いて説明する。
【０００７】
図１は、この実施の形態において使用する発光ダイオード１１０及び発光ダイオード１１０の配光曲線を示す図である。
発光ダイオード１１０は、基板に実装するためパッケージ化されている。
発光ダイオード１１０は、底面部１１１を基板表面に固定し、発光部１１２から光を発生する。
発光部１１２が発する光は、底面部１１１に対して垂直な方向を最大輝度で照射し、斜め方向になるほど輝度が下がる。この実施の形態では、指向性の比較的強い発光ダイオード１１０を使用する。これにより、発光ダイオード１１０における消費電力を少なくしても、照射方向において必要とされる照度を得ることができる。
【０００８】
図２は、この実施の形態における実装基板１２０の構造を示す三面図及び回路構成を示す回路図である。
実装基板１２０は、端子１２１及び端子１２２を有する。
端子１２１及び端子１２２は、発光ダイオード１１０に供給する電力を入力する端子である。
実装基板１２０は、表面に発光ダイオード１１０を複数実装する。
実装基板１２０は、おおむね長方形状であり、長手方向に発光ダイオード１１０を複数並べて実装する。
発光ダイオード１１０は、底面部１１１を実装基板１２０の表面に接触させて実装する。したがって、発光ダイオード１１０は、実装基板１２０の正面方向を最大輝度で照射する。また、複数の発光ダイオード１１０が、おおむね同一方向を照射する。
【０００９】
実装基板１２０は、片側短辺に並列に端子１２１及び端子１２２を有する。なお、端子１２１及び端子１２２は、他の位置にあってもよい。例えば、片側短辺に端子１２１を有し、反対側短辺に端子１２２を有してもよい。
【００１０】
実装基板１２０に実装された複数の発光ダイオード１１０は電気的に直列に接続され、端子１２１−端子１２２間に電圧を印加すると、複数の発光ダイオード１１０が点灯する。
なお、発光ダイオード１１０間の電気的接続は、他の接続形態であってもよい。例えば、並列接続であってもよい。
また、実装基板１２０上に発光ダイオード１１０を駆動するための駆動回路を載せてもよい。
【００１１】
図３は、この実施の形態における取付部材１３０の構造を示す三面図である。
取付部材１３０は、おおむね長方形の板状である。
取付部材１３０は、長手方向に平行な直線を軸に「く」字状に折り曲げられた形状を有し、第一の平面部１３１と第二の平面部１３２とを有する。
第一の平面部１３１は、実装基板１２０を取り付ける部分である。
第二の平面部１３２は、後述する照明器具本体１４０に取り付ける部分である。
取付部材１３０は「く」字状に折り曲げられているので、第一の平面部１３１と第二の平面部１３２とは角度θを有する。
角度θは、発光ダイオード１１０が出す光を照射したい方向に合わせて定めるものとし、９０度以上１８０度未満である。
【００１２】
なお、取付部材１３０は、熱伝導率の高い材料で構成するほうが、発光ダイオード１１０の放熱に寄与し、発光ダイオード１１０の温度を低く抑えることができるので、好ましい。
【００１３】
図４は、この実施の形態における取付部材１３０に実装基板１２０を取り付けた状態を示す三面図である。
なお、電気配線等は、省略している。
実装基板１２０は、第一の平面部１３１の内側に取り付ける。
これにより、実装基板１２０の正面方向（Ａ方向）は、第一の平面部１３１の法線方向（Ｂ方向）と一致し、第二の平面部１３２の法線方向（Ｃ方向）に対して角度を有する。
【００１４】
なお、角度θを９０度未満の鋭角に形成し、取付部材１３０を「Ｖ」字状としてもよい。その場合、実装基板１２０は、第一の平面部１３１の外側に取り付ける。
【００１５】
図５は、この実施の形態における照明器具１００の全体構成を示す断面図である。
なお、電源回路等は、省略している。
照明器具１００は、照明器具本体１４０を有する。
照明器具本体１４０は、照明器具本体の正面方向を法線方向（Ｄ方向）とする取付面１４１を有し、取付部材１３０を取付面１４１に取り付ける。
取付部材１３０は、第二の平面部１３２を取付面１４１に接触させて取り付ける。これにより、第二の平面部１３２の法線方向（Ｃ方向）は、照明器具本体１４０の正面方向と一致する。
このような構造により、実装基板１２０の正面方向（Ａ方向）は、照明器具本体１４０の正面方向とは異なる方向を向く。
発光ダイオード１１０が最大輝度で照射する方向は実装基板１２０の正面方向であるから、照明器具本体１４０の正面方向とは異なる方向を照射することとなる。
【００１６】
照明器具１００には、複数の取付部材１３０を並列に取り付けてもよい。
この場合、取付部材１３０の第一の平面部１３１と第二の平面部１３２とがなす角度θは、すべて同じでもよいし、異なる角度としてもよい。
取付部材１３０の第一の平面部１３１と第二の平面部１３２とがなす角度がすべて同じ場合には、照射対象との距離にかかわらず、一定の範囲を照射できるので、好ましい。
取付部材１３０の第一の平面部１３１と第二の平面部１３２とがなす角度が異なる場合、例えば図５の右へいくほど角度が直角に近くなるようにすれば、光を集めることができ、照射エリアが狭くなる代わりに、照射対象の照度を上げることができ、好ましい。
逆に、図５の右へいくほど角度が浅くなるようにすれば、光を拡散させることができ、照射エリアが広くなり、好ましい。
また、第一の平面部１３１の長さは、すべて同じでもよいし、異なる長さであってもよい。第一の平面部１３１と第二の平面部１３２とがなす角度θを取付部材１３０ごとに異なる角度とする場合には、第一の平面部１３１を取付部材１３０ごとに異なる長さとすれば、前の取付部材１３０に光が当たって遮られてしまうのを防ぐことができ、好ましい。
【００１７】
図６は、この実施の形態における照明器具１００を天井埋め込み型のウォールウォッシャーとして使用した使用例を示す図である。
照明器具１００は、天井面に埋め込み設置する。したがって、照明器具本体１４０の正面方向は、真下方向を向く。
照明器具１００は、照明器具本体１４０の正面方向とは異なる方向を照射するので、例えば、壁面の照射エリアを照射する。
これにより、必要な領域を必要な照度で照らすことができる。
また、発光ダイオード１１０の指向性が強いので、照射エリア外の方向から照明器具１００を見ても、まぶしくない。
【００１８】
図７は、この実施の形態における照明器具１００の全体構成の別の例を示す断面図である。
この例では、取付部材１３０の向きが左右で逆になるように、照明器具本体１４０に取り付けている。
したがって、左半分の実装基板１２０（一部の実装基板）の正面方向と、右半分の実装基板１２０（他の実装基板）の正面方向とが、照明器具本体１４０の正面方向に対して、ちょうど左右対称となる。
この照明器具１００を、図６に示した天井埋め込み型ウォールウォッシャーとして使用すれば、例えば廊下の真ん中に設置した一つの照明器具１００で、両側の壁面を照射することができる。
【００１９】
この実施の形態における照明器具１００によれば、実装基板１２０の正面方向と、照明器具本体１４０の正面方向とが異なる方向を向いているので、実装基板１２０に実装した発光ダイオード１１０が、照明器具本体１４０の正面方向とは異なる方向を照射することができるという効果を奏する。
【００２０】
この実施の形態における照明器具１００によれば、実装基板１２０の長手方向に複数の発光ダイオード１１０を実装し、取付部材１３０が、実装基板１２０を複数並列に照明器具本体１４０に取り付けるので、斜め方向を照射する照明器具１００の厚さを薄くすることができるという効果を奏する。
【００２１】
例えば、照明器具１００を、天井埋め込み型のウォールウォッシャーとして使用しても、インテリアの調和を乱すことなく設置することができる。
【００２２】
この実施の形態における照明器具１００によれば、複数の実装基板１２０の正面方向が略同方向を向いているので、照射対象との距離にかかわらず、一定の範囲を照射できるという効果を奏する。
【００２３】
この実施の形態における照明器具１００によれば、取付部材１３０が第一の平面部１３１と第二の平面部１３２とを有し、第一の平面部１３１と第二の平面部１３２とがなす角度によって、実装基板１２０の正面方向と、照明器具本体１４０の正面方向とがなす角度が決まるので、照明器具１００の照射方向の設定が容易であるという効果を奏する。
【００２４】
また、実装基板１２０ごとに照射方向を変えることも容易にできるので、光を集めたり、拡散させたりといった様々な照明効果を容易に得ることができる。
【００２５】
実施の形態２．
実施の形態２を、図８及び図９を用いて説明する。
この実施の形態における発光ダイオード１１０及び発光ダイオード１１０の調光曲線及び実装基板１２０の構造及び回路構成は、実施の形態１で図１及び図２を用いて説明したものと同様なので、ここでは説明を省略する。
【００２６】
図８は、この実施の形態における取付部材１３０の構造を示す三面図である。
取付部材１３０は、平面の板に、「コ」字状の切り込みを入れ、その内部を立ち上げて切り起こし部１３６とした構造を有する。
切り起こし部１３６を立ち上げたあとには、長方形状の開口部１３７が形成される。
切り起こし部１３６は、実装基板１２０を取り付けるため、おおむね平面状である。切り起こし部１３６の法線方向（Ｂ方向）は、取付部材１３０の（切り起こし部１３６以外の部分の）法線方向（Ｃ方向）と異なる方向を向いている。実装基板１２０がおおむね長方形状であるので、切り起こし部１３６もそれに対応しておおむね長方形状である。
また、取付部材１３０に実装基板１２０を複数取り付けるため、切り起こし部１３６も複数設ける。
【００２７】
図９は、この実施の形態における照明器具１００の全体構成を示す断面図である。
なお、電気配線等は省略している。
実装基板１２０は、取付部材１３０の切り起こし部１３６に取り付ける。
これにより、実装基板１２０の正面方向は、切り起こし部１３６の法線方向と一致し、取付部材１３０の（切り起こし部１３６以外の部分の）法線方向と異なる方向を向く。
【００２８】
取付部材１３０は、（切り起こし部１３６以外の部分の）法線方向が照明器具本体１４０の正面方向と一致するよう、照明器具本体１４０に取り付ける。
これにより、実装基板１２０の正面方向は、照明器具本体１４０の正面方向と異なる方向を向く。
発光ダイオード１１０が最大輝度で照射する方向は実装基板１２０の正面方向であるから、照明器具本体１４０の正面方向とは異なる方向を照射することとなる。
したがって、簡単な構造で、照明器具本体１４０とは異なる方向を照射することができる。
【００２９】
また、取付部材１３０は、切り起こし部１３６を立ち上げたあとに形成される開口部１３７を有する。
開口部１３７は、空気の通り道となるので、発光ダイオード１１０の発熱により暖められた空気は、開口部１３７を通って対流する。
これにより、発光ダイオード１１０の放熱がよくなり、発光ダイオード１１０の（ＰＮ接合面の）温度上昇を抑えることができる。
【００３０】
この実施の形態における照明器具１００によれば、取付部材１３０の一部を切り起して形成した切り起こし部１３６に実装基板１２０を取り付けるので、簡単な構造で、照明器具本体１４０と異なる方向を照射する照明器具１００を製造することができ、照明器具１００の小型化、軽量化、低コスト化ができるという効果を奏する。
【００３１】
この実施の形態における照明器具１００によれば、切り起こし部１３６を形成したあとに形成される開口部１３７が、空気の通り道となるので、発光ダイオード１１０の放熱を助け、発光ダイオード１１０の温度上昇を抑えることができるという効果を奏する。
【００３２】
実施の形態３．
実施の形態３を、図１０及び図１１を用いて説明する。
この実施の形態における発光ダイオード１１０及び発光ダイオード１１０の調光曲線及び実装基板１２０の構造及び回路構成は、実施の形態１で図１及び図２を用いて説明したものと同様なので、ここでは説明を省略する。
【００３３】
図１０は、この実施の形態における照明器具１００の全体構成を示す底面図及びＥ−Ｅ断面図である。
なお、図１０は、実装基板１２０を取り外した状態を示している。また、電気配線等は省略している。
【００３４】
取付部材１３０は、複数のソケット１５０を有する。取付部材１３０は、照明器具本体１４０の側面内側に固定されており、ソケット１５０が斜め向きとなっている。
【００３５】
ソケット１５０は、実装基板１２０の一端を差し込むことにより、実装基板１２０を機械的に固定する。
ソケット１５０は、また、内部に実装基板１２０の端子１２１及び端子１２２とそれぞれ接触する二つの端子接触部１５２（図示せず）を有し、実装基板１２０と照明器具本体１４０とを電気的に接続する。照明器具本体１４０は、端子接触部１５２を介して、実装基板１２０に電力を供給し、発光ダイオード１１０を点灯する。
【００３６】
なお、ソケット１５０は、実装基板１２０を支えるため実装基板１２０の両側に、対向して、同じ角度に設ける。なお、端子１２１及び端子１２２は、実装基板１２０の片側にある場合には、他方のソケット１５０は、電気的に接続をしないダミーでよい。
【００３７】
図１１は、この実施の形態における照明器具１００の全体構成を示す底面図及びＥ−Ｅ断面図である。
なお、図１１は、実装基板１２０を取り付けた状態を示している。また、電気配線等は省略している。
【００３８】
ソケット１５０が斜め向きに取り付けてあるので、実装基板１２０の正面方向は、照明器具本体１４０の正面方向と異なる方向を向く。
発光ダイオード１１０が最大輝度で照射する方向は実装基板１２０の正面方向であるから、照明器具本体１４０の正面方向とは異なる方向を照射することとなる。
したがって、簡単な構造で、照明器具本体１４０とは異なる方向を照射することができる。
また、実装基板１２０に電力を供給するためのソケット１５０を用いて、実装基板１２０を支えるので、部品点数を少なくすることができる。
また、実装基板１２０の周辺に、空気の対流を阻害する部材がないので、空気の対流が促進され、発光ダイオード１１０の放熱が助けられ、発光ダイオード１１０の温度上昇を抑えることができる。
【００３９】
この実施の形態における照明器具１００によれば、ソケット１５０が実装基板１２０を電気的に接続するとともに、実装基板１２０を支持するので、簡単な構造で、照明器具本体１４０と異なる方向を照射する照明器具１００を製造することができ、照明器具１００の小型化、軽量化、低コスト化ができるという効果を奏する。
【００４０】
この実施の形態における照明器具１００によれば、ソケット１５０が実装基板１２０を支持するので、実装基板１２０周辺の空気の対流が促進され、発光ダイオード１１０の放熱を助けるので、発光ダイオード１１０の温度上昇を抑えることができるという効果を奏する。
【００４１】
実施の形態４．
実施の形態４を、図１２〜図１９を用いて説明する。
この実施の形態における発光ダイオード１１０及び発光ダイオード１１０の調光曲線及び実装基板１２０の構造及び回路構成は、実施の形態１で図１及び図２を用いて説明したものと同様なので、ここでは説明を省略する。
【００４２】
この実施の形態における取付部材１３０は、ソケット１５０及び支持部材１６０を有する。
【００４３】
図１２は、この実施の形態におけるソケット１５０の構造を示す三面図である。
なお、電気配線等は省略している。
【００４４】
ソケット１５０は、ソケット結合部１５１、ソケット軸部１５３、ソケット回転部１５４を有する。
ソケット結合部１５１は、実装基板１２０を挿入して固定する基板挿入孔１５６を有し、基板挿入孔１５６内に、実装基板１２０の端子１２１及び端子１２２とそれぞれ接触する二つの端子接触部１５２を有する。
端子接触部１５２は、実装基板１２０の端子１２１及び端子１２２と接触することにより、実装基板１２０と照明器具本体１４０とを電気的に接続する。照明器具本体１４０は、端子接触部１５２を介して、実装基板１２０に電力を供給し、発光ダイオード１１０を点灯する。
ソケット軸部１５３は、ソケット結合部１５１の基板挿入孔１５６と反対側に接続した円筒あるいは円柱状の部分である。
ソケット軸部１５３の中心軸は、基板挿入孔１５６に挿入する実装基板１２０の中心軸と一致する。
ソケット回転部１５４は、ソケット軸部１５３のソケット結合部１５１と反対側に接続した円筒あるいは円柱状の部分である。ソケット回転部１５４の直径Ｒ２は、ソケット軸部１５３の直径Ｒ１よりも大きく、ソケット回転部１５４の中心軸は、ソケット軸部１５３の中心軸と一致する。
【００４５】
図１３は、この実施の形態における支持部材１６０の構造を示す三面図である。
【００４６】
支持部材１６０は、基底部１６１、支持部１６２を有する。
基底部１６１は、支持部材１６０を照明器具本体１４０に固定する部分である。
支持部１６２は、ソケット１５０を支持する部分である。
【００４７】
軸受部１６３は、支持部１６２に設けられた円柱状の穴である。軸受部１６３の直径は、ソケット軸部１５３の直径Ｒ１よりもわずかに大きく、軸受部１６３にソケット軸部１５３を挿入すると、ソケット１５０が、ソケット軸部１５３の中心軸を中心として、回転できる。
軸挿入口１６４は、軸受部１６３にソケット軸部１５３を挿入するための開口部である。
軸挿入口１６４と軸受部１６３との連結部分の幅Ｗは、ソケット軸部１５３の直径Ｒ１よりもわずかに小さい。ソケット軸部１５３をＭ方向に押し込むと、支持部材１６０が弾性変形して、ソケット軸部１５３が軸受部１６３によって回転可能に保持される。支持部材１６０は使用時にはＭ’方向が下になるので、軸受部１６３にはめ込んだソケット１５０にはＭ’方向に重力が加わるが、軸挿入口１６４と軸受部１６３との連結部分の幅Ｗがソケット軸部１５３の直径Ｒ１より小さいので、ソケット軸部１５３が外れて落ちることはない。
【００４８】
図１４は、この実施の形態における取付部材１３０の構造を示す三面図である。
取付部材１３０は、図１２で説明したソケット１５０を、図１３で説明した支持部材１６０に挿入したものである。
これにより、ソケット１５０は支持部材１６０に固定され、ソケット軸部１５３の中心軸を中心にＦ−Ｆ’方向に回転できる。
【００４９】
図１５は、この実施の形態における照明器具１００の全体構成を示す底面図及びＥ−Ｅ断面図である。
なお、図１５は、ソケット１５０及び実装基板１２０を取り外した状態を示している。また、電気配線等は省略している。
支持部材１６０は、照明器具本体１４０の正面方向を法線方向とする取付面１４１に取り付ける。
支持部材１６０は、実装基板１２０を両側から支えるため、軸受部１６３の中心軸が一致するよう、対向して両側に取り付ける。
【００５０】
図１６は、この実施の形態における照明器具１００の全体構成を示す底面図及びＥ−Ｅ断面図である。
なお、図１６は、ソケット１５０及び実装基板１２０を取り付けた状態を示している。また、電気配線等は省略している。
【００５１】
実装基板１２０は、ソケット１５０に挿入した状態で、ソケット１５０を支持部材１６０に押し込むことにより、照明器具本体１４０に取り付ける。
これにより、実装基板１２０は、中心軸を軸として回転することができる。
このとき、実装基板１２０及びソケット１５０が回転の軸とする中心軸は、照明器具本体１４０の正面に対しておおむね平行である。
【００５２】
なお、いずれかの実装基板１２０を回転させて方向を変えたとき、他のすべての実装基板１２０も回転して同じ方向を向くよう、ソケット１５０同士を接続してもよい。例えば、ソケット回転部１５４同士をベルト・ハーネスなどで接続してもよい。
【００５３】
図１７は、この実施の形態における照明器具１００の全体構成を示す分解斜視図である。
照明器具１００は、発光ダイオード１１０を実装した実装基板１２０をソケット１５０に挿入し、ソケット１５０を、照明器具本体１４０に取り付けた支持部材１６０に押し込み、その上に、発光ダイオード１１０が出す光を通す透光部１７１を有するカバー１７０を被せてある。
カバー１７０は、爪・ネジ・バネなどで照明器具本体１４０に固定され、メンテナンスの際、容易に取り外せる。
また、照明器具本体１４０に穴を開け、発光ダイオード１１０の放熱を助ける構造としてもよい。
【００５４】
図１８は、この実施の形態における照明器具１００の使用例を示す斜視図である。
実装基板１２０の正面方向が、照明器具本体１４０の正面方向と一致するよう、ソケット１５０を回転させれば、照明器具本体１４０の正面方向を、発光ダイオード１１０が照射するようにすることができる。
【００５５】
図１９は、この実施の形態における照明器具１００の使用例を示す斜視図である。
実装基板１２０の正面方向が、照明器具本体１４０の正面方向と異なる方向を向くよう、ソケット１５０を回転させれば、照明器具本体１４０の正面方向と異なる方向を、発光ダイオード１１０が照射するようにすることができる。
【００５６】
このように、発光ダイオード１１０が照射する方向を簡単に変えることができるので、例えば、照明器具１００設置後に照射方向を容易に調整することができる。
【００５７】
なお、すべての実装基板１２０が同一方向を向くようにソケット１５０同士を接続しておけば、照射方向調整の手間がかからず、好ましい。
また、照射方向を調整するためのハーネスを設け、照明器具本体１４０から出すようにしてもよい。
【００５８】
この実施の形態における照明器具１００によれば、実装基板１２０を挿入するソケット１５０が照明器具本体１４０の正面に対して略平行な直線を軸として回転するので、実装基板１２０の正面方向を容易に変更することができ、発光ダイオード１１０の照射方向を容易に調整できるという効果を奏する。
【図面の簡単な説明】
【００５９】
【図１】実施の形態１において使用する発光ダイオード１１０及び発光ダイオード１１０の配光曲線を示す図。
【図２】実施の形態１における実装基板１２０の構造を示す三面図及び回路構成を示す回路図。
【図３】実施の形態１における取付部材１３０の構造を示す三面図。
【図４】実施の形態１における取付部材１３０に実装基板１２０を取り付けた状態を示す三面図。
【図５】実施の形態１における照明器具１００の全体構成を示す断面図。
【図６】実施の形態１における照明器具１００を天井埋め込み型のウォールウォッシャーとして使用した使用例を示す図。
【図７】実施の形態１における照明器具１００の全体構成の別の例を示す断面図。
【図８】実施の形態２における取付部材１３０の構造を示す三面図。
【図９】実施の形態２における照明器具１００の全体構成を示す断面図。
【図１０】実施の形態３における照明器具１００の全体構成を示す底面図及びＥ−Ｅ断面図。
【図１１】実施の形態３における照明器具１００の全体構成を示す底面図及びＥ−Ｅ断面図。
【図１２】実施の形態４におけるソケット１５０の構造を示す三面図。
【図１３】実施の形態４における支持部材１６０の構造を示す三面図。
【図１４】実施の形態４における取付部材１３０の構造を示す三面図。
【図１５】実施の形態４における照明器具１００の全体構成を示す底面図及びＥ−Ｅ断面図。
【図１６】実施の形態４における照明器具１００の全体構成を示す底面図及びＥ−Ｅ断面図。
【図１７】実施の形態４における照明器具１００の全体構成を示す分解斜視図。
【図１８】実施の形態４における照明器具１００の使用例を示す斜視図。
【図１９】実施の形態４における照明器具１００の使用例を示す斜視図。
【符号の説明】
【００６０】
１００  照明器具、１１０  発光ダイオード、１１１  底面部、１１２  発光部、１２０  実装基板、１２１  端子、１２２  端子、１３０  取付部材、１３１  第一の平面部、１３２  第二の平面部、１３６  切り起こし部、１３７  開口部、１４０  照明器具本体、１４１  取付面、１５０  ソケット、１５１  ソケット結合部、１５２  端子接触部、１５３  ソケット軸部、１５４  ソケット回転部、１５６  基板挿入孔、１６０  支持部材、１６１  基底部、１６２  支持部、１６３  軸受部、１６４  軸挿入口、１７０  カバー、１７１  透光部。
【図１】
2007265646.tif 000003
【図２】
2007265646.tif 000004
【図３】
2007265646.tif 000005
【図４】
2007265646.tif 000006
【図５】
2007265646.tif 000007
【図６】
2007265646.tif 000008
【図７】
2007265646.tif 000009
【図８】
2007265646.tif 000010
【図９】
2007265646.tif 000011
【図１０】
2007265646.tif 000012
【図１１】
2007265646.tif 000013
【図１２】
2007265646.tif 000014
【図１３】
2007265646.tif 000015
【図１４】
2007265646.tif 000016
【図１５】
2007265646.tif 000017
【図１６】
2007265646.tif 000018
【図１７】
2007265646.tif 000019
【図１８】
2007265646.tif 000020
【図１９】
2007265646.tif 000021